(57)【要約】【課題】  各種の表示を行う表示プレートと旗とを併せて保持し、視覚的な宣伝効果を高めるようにしたプレートホルダを安価に提供しようとする。【解決手段】  板金をコ字形に折曲することで、二枚の板を対向設立し、これら各板に、その端縁近くから基部に向かって延びる舌片を、互いに相手の板に向かって突出し、且つ互いに相手の板の舌片の間に位置するように切り起こしによって形成し、保持させるべきプレートを上記両板の舌片の間に挿入して保持させるようにしたプレ−トホルダ本体と、上記プレートホルダ本体とは別に旗を立てるための旗ホルダを共通基板に取付けた。【選択図】  図１
0003113983.tif 000002
【実用新案登録請求の範囲】
【請求項１】
二枚の金属板を対向させて設立し、各板に、その端縁近くから基部方向に延び、相手の板に向かって突出した複数の舌片を、これらの舌片を互いに相手の板の舌片の間に位置させて切り起こしによって形成して成るプレートホルダ本体と、旗を立てる旗ホルダとを同一基板上に取付けて成るプレートホルダ。
【考案の詳細な説明】
【技術分野】
【０００１】
本考案は、机上に置き、或は壁等に取付けて、各種の表示プレートを保持させるプレートホルダに関する。こゝで表示プレートと言うのは例えば建物内の部屋の入口における部署名表示プレートとか、廊下での案内表示プレート、売り場内の物品表示プレート等である。
【背景技術】
【０００２】
従来、表示物保持器として特開２００４−２９４２９に色々な例が記載されている。それらは線材を密着巻きしたコイルバネの一端を延伸して、この延伸部を取付け部に支持させた構造でコイルバネの線間に表示プレートを挿入保持させるようになっている。
【０００３】
この例においては複数の表示プレートを保持させることが出来るが、コイルの線材間の密着圧力によって表示物を挟持させるので、表示物から見て保持される部分が一箇所で且つ面積が小さいから、外力による回転モ−メントに対する抵抗力が乏しく、表示物が傾き易いものである。また硬質の線材をコイル状に巻くとか、線材の切断端を丸める等製造上の工程が多く、単純機能の物品の割りに生産コストが高くなると云う問題がある。
【特許文献１】特開２００４−２９４２９号
【考案の開示】
【考案が解決しようとする課題】
【０００４】
本考案は、プレートを保持する力、殊にプレートの自重による回転モ−メントに対する抵抗力が強く、しかも製造も簡単であると共に、プレート保持と旗立ての二種の表示手段を同時に用い得るようにしたプレートホルダを提供しようとするものである。
【課題を解決するための手段】
【０００５】
二枚の金属板を対向させて設立し、各板にその端縁近くから基部方向に延びる複数の舌片を、相手の板に向かって突出し、且つ互いに相手の板の舌片の間に位置するように切り起こし形成して、保持させるべきプレートを上記両板の舌片の間に挿入して、保持させるようにしたプレートホルダ本体と、上記プレートとは別の旗を立てる為の旗竿ホルダとを基板に取付けた。
【考案の効果】
【０００６】
本考案によればプレートホルダは板金のプレス加工で製造されるから、線材をコイルに巻いて切断し、切断端を丸めると言った多工程を要せず、またプラスチック成型品によるプレートホルダのような特別な成形技術を要しないで、極く普通のプレス技術で製造出来るから安価であり、金属の弾性によってプレートを保持するので、プラスチック成型品が常時一定の力を受けていると、クリープにより保持力が低下するのに反して、常に一定の保持力を維持できる。そしてコイルを使用するものと異なり、複数個所でプレートを保持するので、回転モ−メントに対する抵抗力は大きい。
【０００７】
また対向する板の舌片が互い違いになっているので、プレートは同一箇所を両面から挟まれるよりも、舌片がプレートに喰い込むように作用するからプレート保持力は一層高くなるのである。また、プレートホルダ等が取付けられている基板が変形可能であると、プレートを揚げ、旗を飾る場所が平らな壁面であってもカ−ブを持った面であっても、それに沿わせてプレートホルダを設置できる。
【考案を実施するための最良の形態】
【０００８】
本考案は表示プレートと小旗の両方を保持させることが出来るので、単なる部署の表示とか廊下の道案内表示等よりも、商店における販売促進のための飾り付け等、店の雰囲気を派手にし、客の関心を高めるような実施形態が本考案には適している。
【実施例】
【０００９】
図１、図２に本考案の一実施例を示し、図１（ａ）〜（ｃ）は三面図、図２はプレートホルダ本体の展開図である。１はプレートホルダの本体でステンレス板に図２のように切り起こしによって二列に舌片１１を形成し、この板を舌片１１を内側にしてコ字形に折曲したものである。各舌片１１は本体１の板金の縁から内方に延びており、腹面が凸円弧状になるように曲げられている。且つ本体１の両側の舌片１１は互いに相手の舌片１１の間に位置するような関係で形成されており、本体１を側方から見ると図１（ａ）の上面図のようになっている。この例では両側の舌片１１は互いに相手の舌片１１の間に入り込むようになっているが、これは扱うプレートの厚さにより、厚いプレートを扱う場合は、両側の舌片１１は互いにもっと離れた関係に形成されるもので、両側の舌片１１間の近接度はプレートの厚さにより決められる。プレートはこの両側の舌片１１の間に、舌片１１間を押し広げるように挿入され、断面コ字形をなす本体１のコの字の開口間隔が弾性的に押し広げられることで、この弾性によりプレートを保持するのである。
【００１０】
上述した本体１は曲げることが可能な半硬のアルミ板の基板２に本体１底面の中央で鋲止め固着される。基板２はこのプレートホルダを設置する場所が平らならそのまゝ、円柱面のようなカ−ブした面に設置するときはその曲がりに合わせて基板２を曲げ、何れの場合でも両面粘着テ−プによって相手面に固定される。
【００１１】
今述べている実施例はプレートホルダ本体１の両側に旗を立てる旗ホルダ３を併設したものである。旗ホルダ３は線材を図３に示すようにコ字状に曲成したもので、コ字形の両脚を一旦反対方向に曲げた後、湾曲Ｒをつけて曲げ返してある。両脚は外方に開き加減で更にコ字形の両脚はく字形に稍曲げ起こしてある。プレートホルダ本体１は図２の展開図に示されているように上端に切り欠き１２が設けてあり、コ字形に曲成したとき、旗ホルダ３の軸部の支承部１３を形成するようになっている。図１はこの旗ホルダ３を設けた状態で示されており、旗Ｆは管よりなる旗竿の下端を鎖線で示すように旗ホルダ３の両脚に被ぶせるようにして保持させるのである。このとき旗Ｆの重さで旗竿は前方に倒れようとするが、旗ホルダ３の湾曲Ｒをつけた曲げ返し部分が支えになって旗竿は斜めの姿勢が維持される。旗ホルダ３は不要なら外しておける。
【００１２】
図４は本考案の他の実施例である。この例は前述したプレートホルダ本体１を２個、間を開けて基板２上に併設し、両プレートホルダ本体１の間に旗ホルダ４を介在させたものである。図４に示された例ではプレートホルダ本体１は半円形をしているが。原理、機能は図１の例と同じであり、図１の各部と同じ符号を付けて一々の説明は省略する。
【００１３】
旗ホルダ４は図４（ｂ）として抜き出して示したように、帯状の板金をＶ字形に曲げ、更にＶ字の一辺は端部を内側に凸になるように曲げた形で、この凸部を形成した側の辺を二つのプレートホルダ本体１の間で基板２に固着されている。旗Ｆの竿は二つのプレートホルダ本体１の側面に挟持され、竿の下端が旗ホルダ４のＶ字形の両辺間に支承されて垂直に対し斜めの姿勢で保持される。この例では二枚のプレートと一竿の旗Ｆが保持されることになる。
【産業上の利用可能性】
【００１４】
本考案プレートホルダは単にプレートを保持させるだけでなく、併せて旗を飾ることも出来る所に効用上の特徴がある。このことはより強く人目をひく効果をもたらすので、来店者をより多く呼び込むことが望まれる店、例えば、大衆商品を大量に売る量販店とか、パチンコ店のような遊戯場で用いると営業上有効である。
【図面の簡単な説明】
【００１５】
【図１】（ａ）、（ｂ）、（ｃ）は本考案の一実施例を示す三面図である。
【図２】上記実施例を示す展開図である。
【図３】上記実施例における旗ホルダを示す図である。
【図４】（ａ）、（ｂ）は本考案の他の実施例を示す図である。
【符号の説明】
【００１６】
１  本体
２  基板
３  旗ホルダ
４  旗ホルダ
１１  舌片
【図１】
0003113983.tif 000003
【図２】
0003113983.tif 000004
【図３】
0003113983.tif 000005
【図４】
0003113983.tif 000006